(57)【要約】【課題】  ユーザの将来的なスケジュールが考慮されることで、記憶及び表示される情報が、ユーザにとって最適化される情報最適化システムを提供する。【解決手段】  ユーザにとって最適な放送情報を記憶及び表示する情報最適化システムであって、ユーザに提供可能な放送情報を記憶する提供放送情報記憶手段と、ユーザのスケジュール情報を記憶するスケジュール情報記憶手段と、前記提供放送情報記憶手段から取得した放送情報を記憶する取得放送情報記憶手段と、前記取得放送情報記憶手段が記憶する放送情報を出力する出力手段と、前記スケジュール情報記憶手段から取得したスケジュール情報に基づいて、前記提供放送情報記憶手段から取得した放送情報を前記取得放送情報記憶手段が記憶するか否か、及び前記取得放送情報記憶手段が記憶する放送情報を前記出力手段が出力するか否かを判断する判断手段とを備える。【選択図】  図１
2007079795.tif 000002
【特許請求の範囲】
【請求項１】
ユーザにとって最適な放送情報を記憶及び表示する情報最適化システムであって、
ユーザに提供可能な放送情報を記憶する提供放送情報記憶手段と、
ユーザのスケジュール情報を記憶するスケジュール情報記憶手段と、
前記提供放送情報記憶手段から取得した放送情報を記憶する取得放送情報記憶手段と、
前記取得放送情報記憶手段が記憶する放送情報を出力する出力手段と、
前記スケジュール情報記憶手段から取得したスケジュール情報に基づいて、前記提供放送情報記憶手段から取得した放送情報を前記取得放送情報記憶手段が記憶するか否か、及び前記取得放送情報記憶手段が記憶する放送情報を前記出力手段が出力するか否かを判断する判断手段とを備える情報最適化システム。
【請求項２】
前記提供情報記憶手段が設けられ、放送情報を提供する情報提供サーバと、
前記スケジュール情報記憶手段が設けられ、ユーザのスケジュール情報を提供するホームサーバと、
前記取得放送情報記憶手段と、前記出力手段と、前記判断手段とが設けられ、前記情報提供サーバ、及び前記ホームサーバとネットワークを介して接続された車載装置とを更に備え、
前記車載装置は、
前記判断手段の判断結果に基づいて、前記放送情報のリストを生成するリスト生成手段を更に含み、
前記出力手段は、前記リスト生成手段が生成したリストの中から選択された放送情報を出力する請求項１に記載の情報最適化システム。
【請求項３】
前記判断手段は、前記提供放送情報記憶手段から取得した放送情報の有効期限が、前記スケジュール情報記憶手段から取得したスケジュール情報の予定日時以後か否かを判断すると共に、前記提供放送情報記憶手段から取得した放送情報の有効エリアが、前記スケジュール情報記憶手段から取得したスケジュール情報の目的地を含むか否かを判断することを特徴とする請求項２に記載の情報最適化システム。
【請求項４】
前記判断手段は、前記取得放送情報記憶手段が既に記憶している放送情報の情報ＩＤと前記提供放送情報記憶手段から取得した放送情報の情報ＩＤが同一であるか否かを判断し、判断結果に基づいて、前記取得放送情報記憶手段が記憶する放送情報を更新することを特徴とする請求項３に記載の情報最適化システム。
【請求項５】
前記スケジュール情報記憶手段は、複数のユーザのスケジュール情報を記憶することを特徴とする請求項１〜４に記載の情報最適化システム。
【請求項６】
前記提供情報記憶手段が設けられ、放送情報を提供する情報提供サーバと、
前記スケジュール情報記憶手段と、前記取得放送情報記憶手段と、前記出力手段と、前記判断手段とが設けられ、前記情報提供サーバとネットワークを介して接続された車載装置とを更に備え、
前記車載装置は、
前記判断手段の判断結果に基づいて、前記放送情報のリストを生成するリスト生成手段を更に含み、
前記出力手段は、前記リスト生成手段が生成したリストの中から選択された放送情報を出力する請求項１に記載の情報最適化システム。
【請求項７】
前記判断手段は、前記提供放送情報記憶手段から取得した放送情報の有効期限が、前記スケジュール情報記憶手段が記憶するスケジュール情報の予定日時以後か否かを判断すると共に、前記提供放送情報記憶手段から取得した放送情報の有効エリアが、前記スケジュール情報記憶手段から取得したスケジュール情報の目的地を含むか否かを判断することを特徴とする請求項６に記載の情報最適化システム。
【請求項８】
前記判断手段は、前記取得放送情報記憶手段が既に記憶している放送情報の情報ＩＤと前記提供放送情報記憶手段から取得した放送情報の情報ＩＤが同一であるか否かを判断し、判断結果に基づいて、前記取得放送情報記憶手段が記憶する放送情報を更新することを特徴とする請求項７に記載の情報最適化システム。
【請求項９】
前記スケジュール情報記憶手段は、複数のユーザのスケジュール情報を記憶することを特徴とする請求項６〜８に記載の情報最適化システム。
【請求項１０】
ネットワークを介して接続された情報提供サーバから、放送情報の提供を受けると共に、ネットワークを介して接続されたホームサーバから、ユーザのスケジュール情報の提供を受ける車載装置であって、
前記情報提供サーバから取得した放送情報を記憶する取得放送情報記憶手段と、
前記取得放送情報記憶手段が記憶する放送情報を出力する出力手段と、
前記ホームサーバから取得したスケジュール情報に基づいて、前記情報提供サーバから取得した放送情報を前記取得放送情報記憶手段が記憶するか否か、及び前記取得放送情報記憶手段が記憶する放送情報を前記出力手段が出力するか否かを判断する判断手段とを備える車載装置。
【請求項１１】
前記判断手段は、前記情報提供サーバから取得した放送情報の有効期限が、前記ホームサーバから取得したスケジュール情報の予定日時以後か否かを判断すると共に、前記情報提供サーバから取得した放送情報の有効エリアが、前記ホームサーバから取得したスケジュール情報の目的地を含むか否かを判断することを特徴とする請求項１０に記載の車載装置。
【請求項１２】
前記判断手段は、前記取得放送情報記憶手段が既に記憶している放送情報の情報ＩＤと前記情報提供サーバから取得した放送情報の情報ＩＤが同一であるか否かを判断し、判断結果に基づいて、前記取得放送情報記憶手段が記憶する放送情報を更新することを特徴とする請求項１１に記載の車載装置。
【発明の詳細な説明】
【技術分野】
【０００１】
本発明は、車載装置等の情報端末に記憶及び表示される情報が、ユーザにとって最適化される情報最適化システムに関し、特に、ユーザの将来的なスケジュールが考慮されることで最適化される技術に関する。
【背景技術】
【０００２】
一般的に、ユーザが車に乗車して走行しているときに、いつでも、ユーザが必要とする社会ニュース、天気予報、渋滞情報、地域情報等の放送情報が表示されるということが行われている。これは、例えば、ＦＭ多重で放送される放送情報が車載装置に記憶され、ユーザが必要としたときに、読出して表示するという技術である。
【０００３】
しかしながら、上述した構成では、例えば、走行している地域の地域情報が車載装置に記憶される場合、既にユーザが走行を終えた地域の地域情報が蓄積されたままとなり、陳腐化した情報が表示されてしまう可能性がある。そこで、従来、車載装置の位置関係に応じて、表示される放送情報が取捨選択されるという技術が提案されている。
【０００４】
具体的には、車載装置が存在する現在地、及び今後車載装置が存在し得る地点の領域の特定情報と、車載装置が存在する現在地、及び今後車載装置が存在し得る地点における時刻の特定情報とに基づいて、ユーザが必要とする放送情報が取捨選択される。このように、ユーザが必要とする放送情報が取捨選択されることで、例えば、上述した、既にユーザが走行を終えた地域の地域情報が表示されるという事態が引き起こされることはない（例えば、特許文献１）。
【特許文献１】特開２００１−６７５９４号公報
【発明の開示】
【発明が解決しようとする課題】
【０００５】
しかしながら、上述した従来の技術では、ユーザの将来的なスケジュールが、放送情報の記憶及び表示の際に考慮されていない。このため、記憶及び表示される放送情報の取捨選択の範囲が限られたものとなってしまう。
【０００６】
そこで、本発明は、上記問題に鑑みてなされた。すなわち、本発明は、ユーザの将来的なスケジュールが考慮されることで、記憶及び表示される情報が、ユーザにとって最適化される情報最適化システムを提供することを目的とする。
【課題を解決するための手段】
【０００７】
本発明は、ユーザにとって最適な放送情報を記憶及び表示する情報最適化システムを前提としている。本発明は、ユーザに提供可能な放送情報を記憶する提供放送情報記憶手段と、ユーザのスケジュール情報を記憶するスケジュール情報記憶手段と、前記提供放送情報記憶手段から取得した放送情報を記憶する取得放送情報記憶手段と、前記取得放送情報記憶手段が記憶する放送情報を出力する出力手段と、前記スケジュール情報記憶手段から取得したスケジュール情報に基づいて、前記提供放送情報記憶手段から取得した放送情報を前記取得放送情報記憶手段が記憶するか否か、及び前記取得放送情報記憶手段が記憶する放送情報を前記出力手段が出力するか否かを判断する判断手段とを備える構成としている。
【０００８】
これにより、ユーザの将来的なスケジュールが考慮されることで、記憶及び表示される情報が、ユーザにとって最適化される情報最適化システムを提供することができる。
【０００９】
本発明は、前記提供情報記憶手段が設けられ、放送情報を提供する情報提供サーバと、前記スケジュール情報記憶手段が設けられ、ユーザのスケジュール情報を提供するホームサーバと、前記取得放送情報記憶手段と、前記出力手段と、前記判断手段とが設けられ、前記情報提供サーバ、及び前記ホームサーバとネットワークを介して接続された車載装置とを更に備え、前記車載装置は、前記判断手段の判断結果に基づいて、前記放送情報のリストを生成するリスト生成手段を更に含み、前記出力手段は、前記リスト生成手段が生成したリストの中から選択された放送情報を出力する構成としている。
【００１０】
これにより、ユーザの将来的なスケジュールが考慮されることで、記憶及び表示される情報が、ユーザにとって最適化される情報最適化システムを提供することができる。
【００１１】
なお、前記判断手段は、前記提供放送情報記憶手段から取得した放送情報の有効期限が、前記スケジュール情報記憶手段から取得したスケジュール情報の予定日時以後か否かを判断すると共に、前記提供放送情報記憶手段から取得した放送情報の有効エリアが、前記スケジュール情報記憶手段から取得したスケジュール情報の目的地を含むか否かを判断する構成としてもよい。
【００１２】
なお、前記判断手段は、前記取得放送情報記憶手段が既に記憶している放送情報の情報ＩＤと前記提供放送情報記憶手段から取得した放送情報の情報ＩＤが同一であるか否かを判断し、判断結果に基づいて、前記取得放送情報記憶手段が記憶する放送情報を更新する構成としてもよい。
【００１３】
なお、前記スケジュール情報記憶手段は、複数のユーザのスケジュール情報を記憶する構成としてもよい。
【００１４】
本発明は、前記提供情報記憶手段が設けられ、放送情報を提供する情報提供サーバと、前記スケジュール情報記憶手段と、前記取得放送情報記憶手段と、前記出力手段と、前記判断手段とが設けられ、前記情報提供サーバとネットワークを介して接続された車載装置とを更に備え、前記車載装置は、前記判断手段の判断結果に基づいて、前記放送情報のリストを生成するリスト生成手段を更に含み、前記出力手段は、前記リスト生成手段が生成したリストの中から選択された放送情報を出力する構成としている。
【００１５】
これにより、ユーザの将来的なスケジュールが考慮されることで、記憶及び表示される情報が、ユーザにとって最適化される情報最適化システムを提供することができる。
【００１６】
なお、前記判断手段は、前記提供放送情報記憶手段から取得した放送情報の有効期限が、前記スケジュール情報記憶手段が記憶するスケジュール情報の予定日時以後か否かを判断すると共に、前記提供放送情報記憶手段から取得した放送情報の有効エリアが、前記スケジュール情報記憶手段から取得したスケジュール情報の目的地を含むか否かを判断する構成としてもよい。
【００１７】
なお、前記判断手段は、前記取得放送情報記憶手段が既に記憶している放送情報の情報ＩＤと前記提供放送情報記憶手段から取得した放送情報の情報ＩＤが同一であるか否かを判断し、判断結果に基づいて、前記取得放送情報記憶手段が記憶する放送情報を更新する構成としてもよい。
【００１８】
なお、前記スケジュール情報記憶手段は、複数のユーザのスケジュール情報を記憶する構成としてもよい。
【００１９】
本発明は、ネットワークを介して接続された情報提供サーバから、放送情報の提供を受けると共に、ネットワークを介して接続されたホームサーバから、ユーザのスケジュール情報の提供を受ける車載装置を前提としている。本発明は、前記情報提供サーバから取得した放送情報を記憶する取得放送情報記憶手段と、前記取得放送情報記憶手段が記憶する放送情報を出力する出力手段と、前記ホームサーバから取得したスケジュール情報に基づいて、前記情報提供サーバから取得した放送情報を前記取得放送情報記憶手段が記憶するか否か、及び前記取得放送情報記憶手段が記憶する放送情報を前記出力手段が出力するか否かを判断する判断手段とを備える構成としている。
【００２０】
これにより、ユーザの将来的なスケジュールが考慮されることで、記憶及び表示される情報が、ユーザにとって最適化される情報最適化システムを提供することができる。
【００２１】
なお、前記判断手段は、前記情報提供サーバから取得した放送情報の有効期限が、前記ホームサーバから取得したスケジュール情報の予定日時以後か否かを判断すると共に、前記情報提供サーバから取得した放送情報の有効エリアが、前記ホームサーバから取得したスケジュール情報の目的地を含むか否かを判断する構成としてもよい。
【００２２】
なお、前記判断手段は、前記取得放送情報記憶手段が既に記憶している放送情報の情報ＩＤと前記情報提供サーバから取得した放送情報の情報ＩＤが同一であるか否かを判断し、判断結果に基づいて、前記取得放送情報記憶手段が記憶する放送情報を更新する構成としてもよい。
【発明の効果】
【００２３】
本発明は、上記実施の形態から明らかなように、ユーザの将来的なスケジュールが考慮されることで、記憶及び表示される情報が、ユーザにとって最適化される情報最適化システムを提供することができる。
【発明を実施するための最良の形態】
【００２４】
以下、本発明の実施の形態に係る情報最適化システムについて、図面を参照しながら説明する。
【００２５】
図１は、車載装置１００と、情報提供サーバ１２０及びホームサーバ１３０とがネットワーク１１０を介して接続された情報最適化システムの全体構成を示す模式図である。
【００２６】
図１において、車載装置１００は自動車内に配置される。情報提供サーバ１２０は、任意の場所に設置される、例えば、配信サーバである。ホームサーバ１３０は、例えば、自宅に設置される。また、ネットワーク１１０は、例えば、インターネットであるが、これに限らず他のネットワークでもよい。
【００２７】
次に、車載装置１００、情報提供サーバ１２０及びホームサーバ１３０の内部の構成について、図２を用いて説明する。図２に示すように、車載装置１００は、表示モニタ２００、制御部２０１、通信部２０２、描画ＬＳＩ２０３、記憶部２０４、入力部２０５、判断部２０７、及びリスト生成部２０８を備えている。
【００２８】
制御部２０１は、車載装置１００の装置全体の処理を制御する。通信部２０２は、ネットワーク１１０を介して、情報提供サーバ１２０及びホームサーバ１３０と通信する、例えば、携帯電話である。なお、通信部２０２は、携帯電話としたが、これに限らず、ＰＨＳや無線ＬＡＮ、ＤＳＲＣ（Ｄｅｄｉｃａｔｅｄ  Ｓｈｏｒｔ  Ｒａｎｇｅ  Ｃｏｍｍｕｎｉｃａｔｉｏｎ：狭帯域無線通信）の通信方式で接続されるインターフェイスであってもよいし、いずれかの組合せであってもよい。
【００２９】
描画ＬＳＩ２０３は、制御部２０１の制御に基づき、放送情報を表示モニタ２００に表示させるために、放送情報を描画データへ変換する回路である。記憶部２０４は、車載装置１００が取得した放送情報を放送情報データベース３００（図３参照）として記憶する。
【００３０】
図３は、記憶部２０４に記憶される放送情報データベース３００を示している。この放送情報データベース３００は、放送情報の各々について、情報が識別される番号を表す情報ＩＤ、情報が属する種別を表すジャンル、情報の有効期限、情報が有効である領域を表す有効エリア、情報の内容、情報が記憶及び表示される優先度、及び情報が取得された日時を表す取得日時を含む。
【００３１】
入力部２０５は、ユーザからの入力を受付ける、例えば、リモコンやタッチスイッチ、音声入力用マイクである。この入力部２０５で、表示する放送情報が選択される。なお、表示モニタ２００及び入力部２０５は、車載装置１００の内部に設けられる構成としたが、これに限らず、車載装置１００の外部に設けてもよい。
【００３２】
判断部２０７は、車載装置１００が取得した放送情報を記憶部２０４が記憶するするか否か、及び表示モニタ２００に表示させるか否かを判断する。リスト生成部２０８は、判断部２０７の判断結果に基づいて、放送情報リストを生成する。
【００３３】
また、情報提供サーバ１２０は、通信部２０９、制御部２１０、及び記憶部２１１を備えている。制御部２１０は、情報提供サーバの装置全体の処理を制御する。通信部２０９は、ネットワーク１１０を介して、車載装置１００と通信する。記憶部２１１は、例えば、ＨＤＤ（ハードディスク）によって構成され、ユーザに提供可能な放送情報を提供放送情報データベース４００（図４参照）として記憶している。
【００３４】
図４は、記憶部２１１に記憶されている提供放送情報データベース４００を示している。この提供放送情報データベース４００は、放送情報の各々について、情報が識別される番号を表す情報ＩＤ、情報が属する種別を表すジャンル、情報の有効期限、情報が有効である領域を表す有効エリア、情報の内容、情報が記憶及び表示される優先度、及び情報が取得された日時を表す取得日時を含む。
【００３５】
また、ホームサーバ１３０は、通信部２１２、制御部２１３、及び記憶部２１４を備えている。制御部２１３は、ホームサーバの装置全体の処理を制御する。通信部２１２は、ネットワーク１１０を介して、車載装置１００と通信する。記憶部２１４は、例えば、ＨＤＤ（ハードディスク）によって構成され、複数のユーザの将来的なスケジュール情報をスケジュールデータベース５００（図５参照）として記憶している。
【００３６】
図５は、記憶部２１４に記憶されているスケジュールデータベース５００を示している。このスケジュールデータベース５００は、スケジュール情報の各々について、スケジュールが属する種別を表すジャンル、スケジュールを遂行する日時を表す予定日時、スケジュールを遂行する領域を表すエリア、スケジュールの内容、スケジュールを遂行するユーザを表すユーザ名を含む。
【００３７】
次に、本発明の実施の形態に係る情報最適化システムの動作について、図６のフロー図を用いて説明する。なお、２００５年９月１７日に、鈴木△子が、車に乗車するものとする。この場合、鈴木△子が、車載装置１００のユーザである。
【００３８】
情報提供サーバ１２０の制御部２１０は、任意のタイミングで、記憶部２１１の提供放送情報データベース４００から放送情報を読出し、通信部２０９により、ネットワーク１１０を介して、車載装置１００に放送情報を送信している。なお、ここでは、情報提供サーバ１２０から、ネットワーク１１０を介して、車載装置１００に送信された放送情報が、２００５年９月１７日１６時に、守口市で、車載装置１００の通信部２０２により、取得されたものとする（ステップＳ６０１）。
【００３９】
車載装置１００の制御部２０１は、放送情報を取得すると、通信部２０２により、ネットワーク１１０を介して、ホームサーバ１３０にアクセスする。ホームサーバ１３０の制御部２１３は、アクセスがあると、記憶部２０４のスケジュールデータベース５００からスケジュール情報を読出し、通信部２１２により、ネットワーク１１０を介して、車載装置１００にスケジュール情報を送信する。
【００４０】
ホームサーバ１３０から、ネットワーク１１０を介して、車載装置１００に送信されたスケジュール情報は、車載装置１００の通信部２０２により、取得される（ステップＳ６０２）。次に、判断部２０７は、情報提供サーバ１２０から取得した放送情報の優先度を参照し、優先度が閾値を超えているか否かを判断する（ステップＳ６０３）。ここでは、優先度が２を閾値としている。なお、閾値は任意の値にしてよい。この優先度とは、放送情報の重要度を示し、記憶する際の優先度を表す。
【００４１】
判断処理ステップＳ６０３において、閾値を超えていないと判断された場合、判断部２０７は、情報提供サーバ１２０から取得した放送情報の有効期限が、ホームサーバ１３０から取得したスケジュール情報の予定日時（２００５年９月１７日）以後か否かを判断すると共に、情報提供サーバ１２０から取得した放送情報の有効エリアが、ホームサーバ１３０から取得したスケジュール情報の目的地（守口市）を含むか否かを判断する。この判断により、記憶部２０４が情報提供サーバ１２０から取得した放送情報を記憶するか否かの判断を行う（ステップＳ６０４）。より具体的には、例えば、有効期限が２００５年９月３０日、有効エリアが大阪府である放送情報を記憶する。
【００４２】
判断処理ステップＳ６０４において、記憶すると判断された場合、判断部２０７は、記憶部２０４が既に記憶している放送情報の情報ＩＤと、情報提供サーバ１２０から取得した放送情報の情報ＩＤとが同一であるか否かを判断する。すなわち、情報提供サーバ１２０から取得した放送情報の情報ＩＤと、情報ＩＤが同一の古い情報があるか否かを判断する（ステップＳ６０５）。
【００４３】
判断処理ステップＳ６０５において、古い情報があると判断された場合、記憶部２０４が既に記憶している放送情報を情報提供サーバ１２０から取得した放送情報で更新する（ステップＳ６０７）。
【００４４】
一方、判断処理ステップＳ６０３において、閾値を超えていると判断された場合、放送情報の重要度が高いので、情報提供サーバ１２０から取得した放送情報を記憶部２０４が記憶する（ステップＳ６０３及びステップＳ６０６）。また、判断処理ステップＳ６０４において、記憶しないと判断された場合、情報提供サーバ１２０から取得した放送情報が破棄される（ステップＳ６０４及びステップＳ６０８）。また、判断処理ステップＳ６０５において、古い情報がないと判断された場合、情報提供サーバ１２０から取得した放送情報を記憶部２０４が記憶する（ステップＳ６０５及びステップＳ６０６）。
【００４５】
制御部２０１は、情報提供サーバ１２０から取得した全ての放送情報について、上述した処理が終了するまで、同様の処理を繰り返す。情報提供サーバ１２０から取得した全ての放送情報について、上述した処理が終了すると、リスト生成部２０８は、図７に示すように、記憶部２０４に記憶されている放送情報リスト７００を生成する（ステップＳ６０９及びステップＳ６１０）。
【００４６】
放送情報リスト７００が生成されると、ユーザから放送情報リスト７００を表示するか否かの選択を入力部２０５で受付ける（ステップＳ６１１）。受付け処理ステップＳ６１１において、表示すると選択された場合、判断部２０７は、生成した放送情報リスト７００の優先度を参照し、優先度が閾値を超えているリストがあるか否かを判断する（ステップＳ６１２）。ここでは、優先度が２を閾値としている。なお、閾値は任意の値にしてよい。この優先度とは、放送情報の重要度を示し、表示する際の優先度を表す。
【００４７】
判断処理ステップＳ６１２において、閾値を超えているリストがないと判断された場合、判断部２０７は、有効期限が今日（２００５年９月１７日）以後であり、有効エリアが今日の目的地（守口市）を含むリストを抽出する（ステップＳ６１３）。リストが抽出されると、抽出されたリストが表示リスト８００として、図８に示すように、表示モニタ２００に表示される（ステップＳ６１４）。
【００４８】
一方、受付け処理ステップＳ６１１において、表示しないと選択された場合、処理を終了する。また、判断処理ステップＳ６１２において、閾値を超えているリストがあると判断された場合、そのまま、放送情報リストが表示モニタ２００に表示される（ステップＳ６１２及びステップＳ６１４）。
【００４９】
表示リスト８００が表示モニタ２００に表示されると、ユーザから表示する放送情報の選択を入力部２０５で受付け、受付けられた放送情報が表示モニタ２００に表示される（ステップＳ６１５）。
【００５０】
上述したように、ユーザの将来的なスケジュールが考慮されることで、記憶及び表示される情報が、ユーザにとって最適化される情報最適化システムを提供することができる。
【００５１】
なお、上記実施の形態では、ホームサーバ１３０が設けられた構成で説明したが、これに限定されるものではない。例えば、ホームサーバ１３０が設けられる代わりに、車載装置１００の記憶部２０４が、ユーザの将来的なスケジュール情報を管理する構成とすればよい。この場合、スケジュール情報は、記憶部２０４から読出す構成とすればよい。
【００５２】
また、図６のステップＳ６１５において、ユーザからの入力で表示する放送情報が選択されるようにしたが、自動的に制御部２０１が出した指示を受けることで、表示する放送情報を選択してもよい。例えば、音楽の曲間で自動的にリストの上から順に表示することなどが考えられる。また、放送情報は表示モニタ２００に表示されるものとして説明したが、スピーカが備えられた構成とし、音声で案内するようにしてもよい。
【００５３】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００５４】
本発明にかかる車載装置は、カーナビゲーション装置、カーオーディオ、カーマルチメディア機器等として有用である。
【図面の簡単な説明】
【００５５】
【図１】本発明の実施の形態における情報最適化システムの全体構成を示す模式図
【図２】本発明の実施の形態における情報最適化システムの構成の一例を示すブロック図
【図３】放送情報データベースの一例を示す図
【図４】提供放送情報データベースの一例を示す図
【図５】スケジュール情報データベースの一例を示す図
【図６】本発明の実施の形態における情報最適化システムの動作を示すフロー図
【図７】放送情報リストの一例を示す図
【図８】表示リストの一例を示す図
【符号の説明】
【００５６】
１００  車載装置
１１０  ネットワーク
１２０  情報提供サーバ
１３０  ホームサーバ
２００  表示モニタ
２０１  制御部
２０２  通信部
２０３  描画ＬＳＩ
２０４  記憶部
２０５  入力部
２０７  判断部
２０８  リスト生成部
２０９  通信部
２１０  制御部
２１１  記憶部
２１２  通信部
２１３  制御部
２１４  記憶部
【図１】
2007079795.tif 000003
【図２】
2007079795.tif 000004
【図３】
2007079795.tif 000005
【図４】
2007079795.tif 000006
【図５】
2007079795.tif 000007
【図６】
2007079795.tif 000008
【図７】
2007079795.tif 000009
【図８】
2007079795.tif 000010